(57)【特許請求の範囲】
【請求項１】
回転操作可能な回転部材と、この回転部材の外側に取り付けられた円状の外周面を有するカバー部材と、前記カバー部材に取り付けられた滑り止め用の軟質部材とを備え、前記カバー部材には前記回転部材の外周を囲む周壁部に複数の開口部を設け、前記軟質部材には外方に突出する複数の突出部を設け、これら突出部を前記カバー部材の周壁部の前記開口部から外部に露呈させた状態で、前記軟質部材を前記回転部材と前記カバー部材との間に挟持して取り付け、
前記軟質部材は、両端部を有する帯状部材で形成し、前記両端部を互いに対向させた状態で環状に配置して、前記回転部材と前記カバー部材との間に挟持して取り付けたことを特徴とする回転操作装置。
【請求項２】
前記軟質部材の突出部を前記カバー部材の開口部に挿通させると共に、前記軟質部材の有する弾性により前記突出部を前記開口部に強嵌合させたことを特徴とする請求項１記載の回転操作装置。
【請求項３】
前記軟質部材の突出部の反対側には複数の凹部を設け、前記回転部材の外周には前記凹部に対向して複数の凸部を形成し、前記凹部に前記凸部を係合させた状態で前記軟質部材を前記回転部材と前記カバー部材との間に挟持して取り付けたことを特徴とする請求項１、又は２記載の回転操作装置。
【請求項４】
前記カバー部材の前記開口部は、前記周壁部により全周が囲まれていることを特徴とする請求項１乃至３の何れか１項に記載の回転操作装置。
【発明の詳細な説明】
【技術分野】
【０００１】
本発明は、ロータリースイッチやロータリーボリュームなどの回転操作型電気部品を操作するための回転操作装置に係り、特にカバー部材の滑り止め構造に関する。
【背景技術】
【０００２】
従来の回転操作型電気部品を操作するための回転操作装置の構造としては、ロータリースイッチやロータリーボリュームなどの回転操作型電気部品の回転体を操作する回転部材に、外部操作用のノブを取り付けて、このノブを人の手で摘んで回転操作させることにより、回転体を回転させて、ロータリースイッチの接点の切り換えやロータリーボリュームの抵抗値を変化させて所望の信号を出力していた。
【０００３】
この場合、ノブを人の手で回転させる際に滑りやすいことから、操作性を良くするために、ノブの外周に一体のリブ（凹凸部）を設けて滑りにくい形状にした構造ものが知られている（例えば、特許文献１参照）。
しかしながら、一般にノブとして使用される、塗装（金属などの樹脂メッキ）を施した硬質の樹脂等は、材質そのものが滑り易いものであった。
【０００４】
そこで、さらに滑り難くするために、人の手で摘んで回転操作させるノブの外側に、熱可塑性エラストマー樹脂等からなる滑り止め用の軟質部材からなるカバー部材を取り付け、材質そのものを滑り難くした構造のものが知られている（例えば、特許文献２参照）。
【０００５】
【特許文献１】特開２００２−３２４４５７号公報
【特許文献２】特開２００３−９７１０１号公報
【発明の開示】
【発明が解決しようとする課題】
【０００６】
しかしながら、上述した従来の回転操作装置においては、ノブとカバー部材がそれぞれ別部材から形成されているため、回転操作時に大きな力が加えられると、ノブからカバー部材が脱落してしまうという問題があった。この場合、滑り止め用の軟質部材からなるカバー部材を接着剤等で貼り付ける方法も考えられるが、経時変化や高温環境により接着力が弱くなって剥がれてしまうことがあり、例えば、車載用途には使用できないという問題があった。
【０００７】
従って、本発明は上記した問題点を解決し、滑り止め用の軟質部材の脱落を確実に防止することができる回転操作装置を提供することを目的とする。
【課題を解決するための手段】
【０００８】
上記課題を解決するために本発明の回転操作装置では第１の解決手段として、回転操作可能な回転部材と、この回転部材の外側に取り付けられた円状の外周面を有するカバー部材と、前記カバー部材に取り付けられた滑り止め用の軟質部材とを備え、前記カバー部材には前記回転部材の外周を囲む周壁部に複数の開口部を設け、前記軟質部材には外方に突出する複数の突出部を設け、これら突出部を前記カバー部材の周壁部の前記開口部から外部に露呈させた状態で、前記軟質部材を前記回転部材と前記カバー部材との間に挟持して取り付けた構成とした。
そして、前記軟質部材は、両端部を有する帯状部材で形成し、前記両端部を互いに対向させた状態で環状に配置して、前記回転部材と前記カバー部材との間に挟持して取り付けた構成とした。
また、第２の解決手段として、前記軟質部材の突出部を前記カバー部材の開口部に挿通させると共に、前記軟質部材の有する弾性により前記突出部を前記開口部に強嵌合させた構成とした。
【０００９】
また、第３の解決手段として、前記軟質部材の突出部の反対側には複数の凹部を設け、前記回転部材の外周には前記凹部に対向して複数の凸部を形成し、前記凹部に前記凸部を係合させた状態で前記軟質部材を前記回転部材と前記カバー部材との間に挟持して取り付けた構成とした。
また、第４の解決手段として、前記カバー部材の前記開口部は、前記周壁部により全周が囲まれている構成とした。
【発明の効果】
【００１０】
上述したように、本発明の回転操作装置は、回転操作可能な回転部材と、回転部材の外側に取り付けられた円状の外周面を有するカバー部材と、カバー部材に取り付けられた滑り止め用の軟質部材とを備え、カバー部材には回転部材の外周を囲む周壁部に複数の開口部を設け、軟質部材には外方に突出する複数の突出部を設け、これら突出部をカバー部材の周壁部の開口部から外部に露呈させた状態で、軟質部材を回転部材とカバー部材との間に挟持して取り付けたことから、カバー部材と回転部材との間に滑り止め用の軟質部材を挟み込んで、この軟質部材の一部がカバー部材の開口部から外方へ出るようにしたので、開口部から突出した軟質部材によって滑り止めが行われると共に、軟質部材の脱落を確実に防止することができる。
また、軟質部材の突出部をカバー部材の開口部に挿通させると共に、軟質部材の有する弾性により突出部を開口部に強嵌合させたことから、カバー部材と軟質部材との位置ズレを防止することができる。
【００１１】
また、軟質部材の突出部の反対側には複数の凹部を設け、回転部材の外周には凹部に対向して複数の凸部を形成し、凹部に凸部を係合させた状態で軟質部材を回転部材とカバー部材との間に挟持して取り付けたことから、軟質部材の内周側に設けた凹部に回転部材の外周に設けた凸部を係合することにより回転部材と軟質部材の回転ズレを防止することができる。
また、軟質部材は、両端部を有する帯状部材で形成し、両端部を互いに対向させた状態で環状に配置して、回転部材とカバー部材との間に挟持して取り付けたことから、金型構造を簡易化できると共に、帯状部材を丸めて回転部材及びカバー部材に係合させるだけで良いので、組立が容易となる。
また、カバー部材の開口部は、周壁部により全周が囲まれていることから、周壁部に開口部を設けても、開口部の回りが周壁部の部分で囲まれているので、周壁部を強固に形成できる。
【発明を実施するための最良の形態】
【００１２】
以下、本発明の実施の形態を図１乃至図５に示す。図１は本発明の回転操作装置を示す斜視図、図２は本発明の回転操作装置を示す分解斜視図、図３は本発明の回転操作装置を示す断面図、図４はカバー部材と軟質部材と回転部材との係合状態を示す断面図、図５は軟質部材を示す斜視図である。
【００１３】
図において、回転体１は、合成樹脂等の絶縁材からなり、円盤状の鍔部１ａと、この鍔部１ａの中央から上方側へ突出して形成された軸部１ｂとを有している。また、鍔部１ａの外周面の対向する位置には、回転体が回転する際に図示しないハウジングのカム部と摺接してクリックを生起するコイルばね及びボールなどを収納する収納孔１ｃが設けられている。また、軸部１ｂは、円柱状の基部１ｄと、この基部１ｄの上方に略十字状に突出して設けられた第１嵌合部１ｅと、この第１嵌合部１ｅから更に先端に二股状に分岐して設けられた第２嵌合部１ｆとを有している。また、第２嵌合部１ｆの先端外方には一対のフック部１ｇ、１ｇが設けられている。
【００１４】
回転部材２は、同じく合成樹脂等の絶縁材からなり、中央に設けられた矩形状の軸受け部２ａと、この軸受け部２ａの周りに複数の桟部２ｃを介して円環状に設けられた筒状部２ｂとを有している。また、軸受け部２ａには、上下方向に貫通する略十字状の嵌合孔２ｄが設けられており、この嵌合孔２ｄの内側面の上方側には、対向して一対の突起部２ｅ、２ｅが設けられている。この嵌合孔２ｄに回転体１の軸部１ｂの十字状の第１嵌合部１ｅが挿通されて、回転部材２が回転方向に規制された状態で嵌合されると共に、一対の突起部２ｅ、２ｅが第２嵌合部１ｆの一対のフック部１ｇ、１ｇに係合されて上下方向に規制された状態で回転体１に嵌合されるものとなっている。
【００１５】
また、回転部材２の筒状部２ｂには、外周の上下方向に沿って略等間隔の位置に、外方へ突出する複数の凸部２ｆが設けられている。また、この凸部２ｆの下方側には、下方先端にフック部２ｇを有する弾性片２ｈが設けられており、こ弾性片２ｈのフック部２ｇが、後述するカバー部材４の周壁部４ｂの下端側内周縁に設けられた突起４ｄに係合することによりカバー部材４と回転部材２とが一体に係合するものとなっている。
【００１６】
滑り止め用の軟質部材３は、ゴム材あるいはエラストマー樹脂材等の軟質性の材料からなり、図５に示すように、両端部を有する帯状部材で形成されている。この軟質部材３の一面側には、基板部３ａから略等間隔で同一方向に突出する略矩形状の複数の突出部３ｂが設けられている。また、突出部３ｂの反対側の他面側には、この複数の突出部３ｂの幅よりもやや小さめの凹部３ｃが突出部３ｂに対向して設けられている。
【００１７】
この軟質部材３は、複数の突出部３ｂが外方を向くように帯状の基板部３ａの両端部を互いに対向させた状態で環状に湾曲させ、回転部材２と後述するカバー部材４との間に挟持して取り付けられるものとなっている。この時、軟質部材３の複数の突出部３ｂの反対側（この場合内側）に設けられた複数の凹部３ｃと、回転部材２の筒状部２ｂの外周に設けられた複数の凸部２ｆとが互いに嵌合することにより軟質部材３が回転部材２の筒状部２ｂの外周に取り付けられるものとなっている。
【００１８】
このように、軟質部材３を、両端部を有する帯状部材で形成し、回転部材２に組み込む際に、この両端部を互いに対向させた状態で環状に配置して、回転部材２の筒状部３ｂの外周に取り付けるようにしたので、軟質部材３を成形する金型構造を簡易化できると共に、帯状部材を丸めて回転部材２及び後述するカバー部材４に係合させるだけで良いので、組立が容易となっている。
【００１９】
カバー部材４は、同じく合成樹脂等の絶縁材からなり、天面部４ａと円状の外周面を有する周壁部４ｂとを有している。また、周壁部４ｂには、略等間隔に矩形状からなる複数の開口部４ｃが設けられており、この開口部４ｃの周りは、周壁部４ｂにより全周が囲まれた状態となっている。また、開口部４ｃが設けられた下端側の周壁部４ｂの内周縁には、内方へ突出する突起４ｄが設けられている。このカバー部材４は、回転操作装置の外部操作用のノブとして用いられるもので、カバー部材４の天面部４ａの表面と周壁部４ｂの外周面には、例えば金属等の樹脂メッキが施されたものとなっている。
【００２０】
このカバー部材４は、回転部材２の筒状部２ｂの外側に取り付けられるものとなるが、回転部材２の筒状部２ｂには、環状に湾曲した軟質部材３が配置されており、この時、軟質部材３の複数の突出部３ｂが、カバー部材４の周壁部４ｂの複数の開口部４ｃから外部に露呈させた状態で、軟質部材３が回転部材２とカバー部材４との間に挟持されて取り付けられるものとなっている。また、この時、軟質部材３の自ら有する弾性により、突出部３ｂの外周部がカバー部材４の開口部４ｃの内周部に押し付けられて強嵌合状態となっている。
【００２１】
このように、軟質部材３の突出部３ｂを、カバー部材４の開口部４ｃに挿通させると共に、軟質部材３の自ら有する弾性により突出部３ｂの外周部を開口部４ｃの内周部に強嵌合させたことから、カバー部材４と軟質部材３との位置ズレを防止することができるものとなっている。
この場合、カバー部材４の開口部４ｃは、カバー部材４の周壁部４ｂにより全周が囲まれるように形成されていることから、カバー部材４の周壁部４ｂに複数の開口部４ｃを設けた場合においても、個々の開口部４ｃの回りが周壁部４ｂの部分で囲まれているので、カバー部材４の外周部を構成する周壁部を強固に形成することができるものとなっている。
【００２２】
また、この時、回転部材２の筒状部２ｂの凸部２ｆの下方側には、下方先端にフック部２ｇを有する弾性片２ｈが設けられており、この弾性片２ｈのフック部２ｇが、カバー部材４の周壁部４ｂの下端側内周縁に設けられた突起４ｄに係合することによりカバー４と回転部材２とが一体に係合するものとなる。
そして、軟質部材３は、複数の突出部３ｂがカバー部材４の開口部４ｃに挿通され、複数の突出部３ｂがカバー部材４の周壁部４ｂの開口部４ｃから外部に露呈されると共に、軟質部材３の突出部３ｂの反対側に設けられた複数の凹部３ｃに、回転部材２の外周に該凹部３ｃに対向して設けられた複数の凸部２ｆを係合させた状態で、回転部材２とカバー部材４との間に挟持されて取り付けられるものとなっている。
【００２３】
このように、軟質部材３の突出部３ｂの反対側には複数の凹部３ｃを設けて、回転部材２の外周にはこれら凹部３ｃに対向して複数の凸部２ｆを形成し、これらの凹部３ｃに凸部２ｆを係合させた状態で、軟質部材３を回転部材２とカバー部材４との間に挟持して取り付けるようにしたので、軟質部材３の内周側に設けた凹部３ｃに回転部材２の外周に設けた凸部２ｆを係合することにより回転部材２と軟質部材３の回転ズレを防止することができるものとなっている。
【００２４】
上記した本発明の実施例によれば、カバー部材４には、回転部材２の外周を囲む周壁部４ｂに複数の開口部４ｃを設け、軟質部材３には、同一方向へ突出する複数の突出部３ｂを設け、これら突出部３ｂをカバー部材４の周壁部４ｂの開口部４ｃから外部に露呈させた状態で、軟質部材３を回転部材２とカバー部材４との間に挟持して取り付けたことから、カバー部材４と回転部材２との間に滑り止め用の軟質部材３を挟み込んで、この軟質部材３の一部がカバー部材４の開口部４ｃから外方へ出るようにしたので、開口部４ｃから突出した軟質部材３によって、カバー部材４を回転操作する時の滑り止めが行われると共に、軟質部材３が回転部材２とカバー部材４との間に挟持されているので、軟質部材３がカバー部材から脱落するのを確実に防止することができるものとなっている。
【図面の簡単な説明】
【００２５】
【図１】本発明の回転操作装置を示す斜視図である。
【図２】本発明の回転操作装置を示す分解斜視図である。
【図３】本発明の回転操作装置を示す断面図である。
【図４】本発明のカバー部材と軟質部材と回転部材との係合状態を示す断面図である。
【図５】本発明の軟質部材を示す斜視図である。
【符号の説明】
【００２６】
１：回転体
１ａ：鍔部
１ｂ：軸部
１ｃ：収納孔
１ｄ：基部
１ｅ：第１嵌合部
１ｆ：第２嵌合部
１ｇ：フック部
２：回転部材
２ａ：軸受け部
２ｂ：筒状部
２ｃ：桟部
２ｄ：係合孔
２ｅ：突起部
２ｆ：凸部
２ｇ：フック部
２ｈ：弾性片
３：軟質部材
３ａ：基板部
３ｂ：突出部
３ｃ：凹部
４：カバー部材
４ａ：天面部
４ｂ：周壁部
４ｃ：開口部
４ｄ：突起
【図１】
0004652264.tif 000002
【図２】
0004652264.tif 000003
【図３】
0004652264.tif 000004
【図４】
0004652264.tif 000005
【図５】
0004652264.tif 000006